(57)【要約】【課題】圧縮機組立体を密閉容器内に固定する結合部材を安価にでき、圧縮機組立体の組立を簡便に行うことのできるスクロール圧縮機を提供する。【解決手段】固定スクロール２１、揺動スクロール２５等からなる圧縮要素２、電動機３１及び電動機３１の駆動力を圧縮要素２に伝達する主軸３４等からなる駆動要素３、及び圧縮要素２及び駆動要素３を支持する支持要素４等からなる圧縮機組立体１と、圧縮機組立体１が収容される密閉容器５と、圧縮機組立体１を密閉容器５内の所定の位置に固定するほぼ円筒状の結合部材６とを有し、この結合部材６を圧縮機組立体１の支持要素４の外側面に固定すると共に、密閉容器５に固定する。【選択図】        図１
2004278418.tif 000002
【特許請求の範囲】
【請求項１】
固定スクロール、揺動スクロール等からなる圧縮要素、電動機及び該電動機の駆動力を前記圧縮要素に伝達する主軸等からなる駆動要素、及び前記圧縮要素及び駆動要素を支持する支持要素等からなる圧縮機組立体と、
該圧縮機組立体が収容される密閉容器と、
前記圧縮機組立体を前記密閉容器内の所定の位置に固定するほぼ円筒状の結合部材とを有し、
該結合部材を前記圧縮機組立体の支持要素の外側面に固定すると共に、前記密閉容器に固定したことを特徴とするスクロール圧縮機。
【請求項２】
前記結合部材に、周方向にほぼ等しいピッチで外方に突出する複数の突出部を設けたことを特徴とする請求項１記載のスクロール圧縮機。
【請求項３】
前記結合部材を、周方向にほぼ等しいピッチで板厚を変化させたことを特徴とする請求項１記載のスクロール圧縮機。
【請求項４】
固定スクロール、揺動スクロール等からなる圧縮要素、電動機及び該電動機の駆動力を前記圧縮要素に伝達する主軸等からなる駆動要素、及び前記圧縮要素及び駆動要素を支持する支持要素等からなる圧縮機組立体と、
周方向にほぼ等しいピッチで内側に突出する複数の凹部を有し、前記圧縮機組立体が収容される密閉容器と、
前記圧縮機組立体を前記密閉容器内の所定の位置に固定する円筒状の結合部材とを有し、
該結合部材を前記圧縮機組立体の支持要素の外側面に固定すると共に、前記密閉容器の凹部に固定したことを特徴とするスクロール圧縮機。
【発明の詳細な説明】
【０００１】
【発明の属する技術分野】
本発明は、冷凍機、空調機等に使用されるスクロール圧縮機に関するものである。
【０００２】
【従来の技術】
従来のこの種スクロール圧縮機に、固定スクロール及び揺動スクロールなどによって構成された圧縮要素、電動機及びこの電動機の駆動力を伝達する主軸などによって構成された駆動要素、駆動要素の主軸などを支持する第１，第２のフレームなどによって構成された支持要素からなる圧縮機組立体と、この圧縮機組立体が収容された密閉容器とからなり、圧縮機組立体は、側壁と底部からなり、底部が駆動要素と支持要素の第１のフレームとの間に挟まれ、側壁が密閉容器に固定されたカップ状の結合部材によって密閉容器内に保持されたものがある（例えば、特許文献１参照）。
【０００３】
【特許文献１】
特開平１１−１３６５４号公報（第３頁−第５頁、図１、図２）
【０００４】
【発明が解決しようとする課題】
特許文献１に記載のスクロール圧縮機は、圧縮機組立体を組立てる際に、プレス加工などによって成形した結合部材の底部を、駆動要素の電動機と支持要素の第１のフレームとの間に挟み込むようになっているため、支持要素の第１のフレームと第２のフレーム及び駆動要素の電動機の組立精度に結合部材の底部の幾何精度が影響を与えるという問題があった。
【０００５】
このような問題を解決するためには、結合部材の底部の精度を確保する必要があり、機械加工などによる底部の厚さ管理や圧縮機組立体の寸法管理などが必要になる。しかしながら、結合部材は側壁と底部とによりカップ状に形成されているため、底部の加工精度の確保が困難であり、精度を確保するために多くの工数が必要でコストの増嵩を来していた。
【０００６】
本発明は、上記の課題を解決するためになされたもので、結合部材を安価に製造でき、圧縮機組立体の組立を簡便に行うことのできるスクロール圧縮機を提供することを目的としたものである。
【０００７】
【課題を解決するための手段】
本発明に係るスクロール圧縮機は、固定スクロール、揺動スクロール等からなる圧縮要素、電動機及び該電動機の駆動力を前記圧縮要素に伝達する主軸等からなる駆動要素、及び前記圧縮要素及び駆動要素を支持する支持要素等からなる圧縮機組立体と、該圧縮機組立体が収容される密閉容器と、前記圧縮機組立体を前記密閉容器内の所定の位置に固定するほぼ円筒状の結合部材とを有し、該結合部材を前記圧縮機組立体の支持要素の外側面に固定すると共に、前記密閉容器に固定したものである。
【０００８】
【発明の実施の形態】
［実施の形態１］
図１は本発明の実施の形態１に係るスクロール圧縮機の模式的縦断面図及び一部を断面で示した結合部材の斜視図である。
本実施の形態に係るスクロール圧縮機は、圧縮要素２、駆動要素３、支持要素４からなる圧縮機組立体１と、この圧縮機組立体１を収容する密閉容器５と、圧縮機組立体１を密閉容器５内に支持固定する結合部材６とによって構成されている。
【０００９】
圧縮要素２は、固定スクロール２１と揺動スクロール２５とからなり、固定スクロール２１の台板部２２の中心部近傍には吐出口２３が設けられており、台板部２２の片側（下面）には板状渦巻歯２４が形成されている。また、揺動スクロール２５の台板部２６の固定スクロール２１との対向面には、板状渦巻歯２４と実質的に同形状の板状渦巻歯２７が形成され、台板部２６の下面中心部には円筒状のボス２８が設けられており、このボス２８には軸受が設けられている。
【００１０】
駆動要素３は、ステータ３２とロータ３３からなる電動機３１と、ロータ３３に固着されてその駆動力を圧縮要素２に伝達する主軸３４とからなり、主軸３４の上部には大径部３５が形成され、大径部３５の上端部の中心から偏心した位置には偏心軸３６が設けられており、この偏心軸３６は揺動スクロール２５のボス２８に回転自在に嵌合されている。
【００１１】
支持要素４は、第１のフレーム４１と、第２のフレーム４５とからなり、第１のフレーム４１は、中心部に貫通孔４２を有し、外周の下部にほぼ等間隔に複数の脚部４３（図には、１つだけ示してある）が設けられ、圧縮要素２を支持すると共に、貫通孔４２に挿通された主軸３４を軸受を介して回転自在に支持する。また、第２のフレーム４５は、主軸３４の下部を軸受４６を介して回転自在に支持する。
４４は第１のフレーム４１の各脚部４３の下部外周に突設された突起部である。
【００１２】
密閉容器５は有底円筒状の本体ケース５１と、本体ケース５１の上部開口部に取付けられて密封する蓋体５２とからなり、本体ケース５１には圧縮される前の冷媒ガスを密閉容器５内に導く吸入管５３が設けられ、また蓋体５２から固定スクロール２１の吐出口２３に接続された吐出管５４が導出されている。
【００１３】
６は圧縮機組立体１を密閉容器５内の所定の位置に支持し固定するほぼ円筒状の結合部材で、密閉容器５の内径Ｄとほぼ等しい外径Ｒの大径部６１と外径がこれより小径の小径部６２からなり、その内壁の半径ｒ１は、第１のフレーム４１の貫通孔４２の中心から突起部４４の外側面までの距離Ｌ１とほぼ等しく形成されている。
【００１４】
上記のような結合部材６を用いて圧縮機組立体１を密閉容器５内に設置するには、先ず、結合部材６を圧縮機組立体１に嵌合し、小径部６２に対応する内壁を第１のフレーム４１に設けた突起部４４にそれぞれ当接する。そして、スポット溶接やボルト締結などにより、結合部材６を各突起部４４に固定する。
【００１５】
ついで、結合部材６が固定された圧縮機組立体１を密閉容器５の本体ケース５１内に挿入して所定の位置に保持し、本体ケース５１の内壁に当接した結合部材６の大径部６１を、スポット溶接やボルト締結などにより固定する。そして、本体ケース５１の開口部に蓋体５２を装着し、密封する。これにより、圧縮機組立体１は、密閉容器５内の所定の位置に確実に支持固定される。
【００１６】
上記のように構成したスクロール圧縮機においては、電動機３１によって発生した駆動トルクは、主軸３４を介して圧縮要素２の揺動スクロール２５を駆動し、これより吸入管１１から吸入された低温の冷媒ガスは、圧縮要素２により圧縮されて高温の冷媒ガスとなり、吐出管５４から密閉容器５外に送出される。
このとき、圧縮要素２の圧縮動作によって発生する騒音は、結合部材６を介して密閉容器５に伝達される。ここで、結合部材６の弾性により、伝達される騒音が減衰されて、密閉容器５から外部に放射される騒音が減衰される。
【００１７】
本実施の形態によれば、結合部材６をほぼ円筒状に形成し、圧縮機組立体１の側面に当接固着するようにしたので、圧縮機組立体１の組立精度は結合部材６の精度に影響されることがなく、簡便に製作することができ、安価で信頼性の高いスクロール圧縮機を提供することができる。
【００１８】
図２は実施の形態１の他の例を示すスクロール圧縮機の模式的縦断面図及び一部を断面で示した結合部材の斜視図である。なお、図１のスクロール圧縮機と同じ部分にはこれと同じ符号を付し、説明を省略する。
【００１９】
本例に係る結合部材６ａは、大径部６１ａと小径部６２ａとによりほぼ円筒状に形成され、大径部６１ａの外径Ｒは密閉容器５の内径Ｄとほぼ等しく、小径部６２ａの内壁の半径ｒ２は、第１のフレーム４１の貫通孔４２の中心から脚部４３の外側面までの距離Ｌ２とほぼ等しく形成されている。なお、本例においては、図１の第１のフレーム４１の脚部４３に設けた突起部４４は設けられていない。
【００２０】
上記のような結合部材６ａは、図１の場合と同様に、結合部材６ａを圧縮機組立体１に嵌合し、小径部６２ａを第１のフレーム４１の各脚部４３にそれぞれ当接し、スポット溶接等により固定する。そして、この圧縮機組立体１を密閉容器５の本体ケース５１内に挿入し、結合部材６ａの大径部６１ａを本体ケース５１の内壁にスポット溶接等により固定する。ついで、本体ケース５１の開口部を蓋部５２で密閉すれば、圧縮機組立体１は密閉容器５内の所定の位置に確実に支持固定される。
本例の作用、効果は、図１の場合と同様である。
【００２１】
［実施の形態２］
図３は本発明の実施の形態２に係るスクロール圧縮機の模式的縦断面図及び結合部材の斜視図である。なお、実施の形態１と同じ部分にはこれと同じ符号を付し、説明を省略する。
【００２２】
本実施の形態の結合部材６ｂは、ほぼリング状の本体部６３の外周に、ほぼ等しいピッチで外方に突出する複数の突出部６４（図には、３個設けた場合が示してある）を設けたものである。この結合部材６ｂの本体部６３の内壁の半径ｒ３は、第１のフレーム４１の貫通孔４２の中心から脚部４３の外側面までの距離Ｌ２とほぼ等しく形成されており、突出部６４の外壁面を結ぶ円周の径Ｒ１は、密閉容器５の内径Ｄとほぼ等しく形成されている。
【００２３】
上記のような結合部材６ｂは、結合部材６ｂを圧縮機組立体１に嵌合し、その本体部６３を第１のフレーム４１の脚部４３にそれぞれ当接し、スポット溶接等により固定する。ついで、この圧縮機組立体１を密閉容器５の本体ケース５１内に挿入し、所定の位置に保持して結合部材６ｂの突出部６４を本体ケース５１の内壁にそれぞれ当接し、スポット溶接等により固定する。そして、本体ケース５１の開口部を蓋体５２で密閉すれば、圧縮機組立体１は、密閉容器５内の所定の位置に確実に支持固定される。
本実施の形態の作用、効果は、実施の形態１の場合と同様である。
【００２４】
［実施の形態３］
図４は本発明の実施の形態３に係るスクロール圧縮機の模式的縦断面図及び結合部材の平面図である。なお、実施の形態１と同じ部分にはこれと同じ符号を付し、説明を省略する。
【００２５】
本実施の形態の結合部材６ｃは、薄肉のリング状の本体６５の外周に、ほぼ等しいピッチで外方に突出する厚肉の複数の凸部（突出部）６６を設けたものである（図には、４個の突部６６を設けた場合が示してある）。換言すれば、周方向にほぼ等しいピッチで板厚を変化させたものである。この結合部材６ｃの本体部６５の内壁の半径ｒ４は、第１のフレーム４１の貫通孔４２の中心から脚部４３の外面までの距離Ｌ２とほぼ等しく形成されており、対向する凸部６６間の距離Ｒ２は、密閉容器５の内壁Ｄとほぼ等しく形成されている。
【００２６】
上記のような結合部材６ｃは、結合部材６ｃを圧縮機組立体１に嵌合し、その本体６５を第１のフレーム４１の脚部４３にそれぞれ当接して、スポット溶接等により固定する。ついで、この圧縮機組立体１を密閉容器５の本体ケース５１内に挿入し、所定の位置に保持して結合部材６ｃの凸部６６を本体ケース５１の内壁にそれぞれ当接し、スポット溶接等により固定する。そして、本体ケース５１の開口部を蓋体５２で密封すれば、圧縮機組立体１は、密閉容器５内の所定の位置に確実に支持固定される。
【００２７】
本実施の形態は、実施の形態１の場合とほぼ同様の作用、効果を得ることができるが、さらに、これに加えて、結合部材６ｃの肉厚を周方向に変化させたので、任意の弾性を得ることができる。これにより、圧縮機組立体１から結合部材６ｃを介して密閉容器５に伝達される騒音の減衰特性を制御することができるので、より騒音の低いスクロール圧縮機を得ることができる。
【００２８】
［実施の形態４］
図５は本発明の実施の形態４に係るスクロール圧縮機の模式的縦断面図及び結合部材の斜視図、図６は図５のＡ−Ａ断面図である。なお、実施の形態１と同じ部分にはこれと同じ符号を付し、説明を省略する。
本実施の形態は、密閉容器５の本体ケース５１の周方向に、圧縮機組立体１の第１のフレーム４１の脚部４３とほぼ等しい高さ位置で、かつ、脚部４３が存在しない位置に、ほぼ等しいピッチで内側に突出する複数の凹部５５を設け、また、結合部材６ｄをリング状（円筒状）に形成したものである。
【００２９】
ここで、結合部材６ｄの内壁の半径ｒ５は、第１のフレーム４１の貫通孔４２の中心から脚部４３の外面までの距離Ｌ２とほぼ等しく、また、凹部５５の内側への突出長ｈ１は、結合部材６ｄの外壁の半径ｒ６と、本体ケース５１の内壁の半径ｄの差とほぼ等しく形成されている。
【００３０】
上記のような結合部材６ｄは、結合部材６ｄを圧縮機組立１に嵌合して第１のフレーム４１の脚部４３にそれぞれ当接し、スポット溶接等により固定する。ついで、この圧縮機組立体１を密閉容器５の本体ケース５１内に挿入し、所定の位置に保持して結合部材６ｄを本体ケース５１の凹部５５にそれぞれ当接し、スポット溶接等により固定する。そして、本体部５１の開口部を蓋体５２で密封すれば、圧縮機組立体１は、密閉容器５内の所定の位置に確実に支持固定される。
【００３１】
本実施の形態は、実施の形態１の場合とほぼ同様の作用、効果を得ることができるが、さらに、結合部材６ｄをリング状の円筒体で形成したので、製作がきわめて容易である。
【００３２】
【発明の効果】
本発明に係るスクロール圧縮機は、圧縮組立体の支持要素の外側面に固定したほぼ円筒状の結合部材を密閉容器に固定するようにしたので、結合部材の製作が容易で安価になり、圧縮機組立体の組立を簡便に行うことができる。
【図面の簡単な説明】
【図１】本発明の実施の形態１に係るスクロール圧縮機の模式的縦断面図及び一部を断面で示した結合部材の斜視図である。
【図２】実施の形態１の他の例の模式的縦断面図及び一部を断面で示した結合部材の斜視図である。
【図３】本発明の実施の形態２に係るスクロール圧縮機の模式的縦断面図及び結合部材の斜視図である。
【図４】本発明の実施の形態３に係るスクロール圧縮機の模式的縦断面図及び結合部材の平面図である。
【図５】本発明の実施の形態４に係るスクロール圧縮機の模式的縦断面図及び結合部材の斜視図である。
【図６】図５のＡ−Ａ断面図である。
【符号の説明】
１  圧縮機組立体、２  圧縮要素、３  駆動要素、４  支持要素、５  密閉容器、５５  凹部、６（６ａ〜６ｄ）  結合部材、６４，６６  突出部。
【図１】
2004278418.tif 000003
【図２】
2004278418.tif 000004
【図３】
2004278418.tif 000005
【図４】
2004278418.tif 000006
【図５】
2004278418.tif 000007
【図６】
2004278418.tif 000008